(57)【要約】【課題】一般家庭で所有されている骨董品を有効に資産活用することのできる骨董品運用システムを提供する。【解決手段】本発明に係る骨董品運用システムは、ユーザの骨董品に関する情報を含む骨董品情報を取得する、骨董品情報取得手段と、前記骨董品情報を鑑定者に提供し、前記鑑定者から、前記骨董品の評価額を含む鑑定結果を取得する、鑑定結果取得手段と、前記鑑定結果をユーザに提供し、前記ユーザが選択した前記骨董品の運用方針を取得する、運用方針取得手段と、取得した前記運用方針に基づいて、前記骨董品の運用を実行させる、運用実行手段と、を備える。【選択図】図１
2020155022.tif 000002
【特許請求の範囲】
【請求項１】
ユーザの骨董品に関する情報を含む骨董品情報を取得する、骨董品情報取得手段と、
前記骨董品情報を鑑定者に提供し、前記鑑定者から、前記骨董品の評価額を含む鑑定結果を取得する、鑑定結果取得手段と、
前記鑑定結果をユーザに提供し、前記ユーザが選択した前記骨董品の運用方針を取得する、運用方針取得手段と、
取得した前記運用方針に基づいて、前記骨董品の運用を実行させる、運用実行手段と、
を備えることを特徴とする骨董品運用システム。
【請求項２】
前記運用実行手段は、前記ユーザの選択した前記骨董品の運用方針が、骨董品相場による運用である場合には、前記鑑定者に前記骨董品の運用方針を提供し、前記鑑定者に前記骨董品の運用を実行させる、請求項１に記載の骨董品運用システム。
【請求項３】
前記骨董品の運用期間が満了した時点における前記骨董品相場の運用結果である前記骨董品の評価額を取得する、運用結果取得手段と、
前記骨董品の運用期間が満了した時点における前記骨董品の評価額を前記ユーザに提供し、前記ユーザが選択した解約方法を取得する、解約方法取得手段と、
取得した前記解約方法に基づいて、前記骨董品の運用の解約を実行させる、解約実行手段と、
をさらに備えることを特徴とする請求項２に記載の骨董品運用システム。
【請求項４】
前記解約実行手段は、前記ユーザの選択した解約方法が、前記骨董品の売却である場合には、前記鑑定者に前記骨董品を売却する旨の情報を提供する、請求項３に記載の骨董品運用システム。
【請求項５】
前記解約実行手段は、前記骨董品の売却による得られた金額を、前記鑑定者の口座から前記ユーザの口座に送金させる、請求項４に記載の骨董品運用システム。
【請求項６】
前記解約実行手段は、前記ユーザの選択した解約方法が、前記骨董品の返却である場合で、且つ、前記骨董品の運用期間が満了した時点における前記骨董品の評価額が運用開始時点の評価額を上回っている場合には、前記評価額の差額を運用益として前記鑑定者の口座から前記ユーザの口座に送金をさせる、請求項３に記載の骨董品運用システム。
【請求項７】
前記解約実行手段は、前記ユーザの選択した解約方法が、前記骨董品の返却である場合で、且つ、前記骨董品の運用期間が満了した時点における前記骨董品の評価額が運用開始時点の評価額を下回っている場合には、前記評価額の差額を運用損として前記ユーザの口座から前記鑑定者の口座に送金をさせる、請求項３に記載の骨董品運用システム。
【請求項８】
前記運用実行手段は、前記ユーザの選択した前記骨董品の運用方針が、金融マーケットによる運用である場合には、金融マーケットで資金の運用を行う金融マーケット運用システムに前記骨董品の運用方針を提供し、前記金融マーケット運用システムに前記骨董品に基づく資金の運用を実行させる、請求項１に記載の骨董品運用システム。
【請求項９】
前記金融マーケット運用システムから、前記骨董品の運用期間が満了した時点における前記金融マーケットの運用結果を取得する、運用結果取得手段と、
前記骨董品の運用期間が満了した時点における前記金融マーケットの運用結果を前記ユーザに提供し、前記ユーザが選択した解約方法を取得する、解約方法取得手段と、
取得した前記解約方法に基づいて、前記骨董品の運用の解約を実行させる、解約実行手段と、
をさらに備えることを特徴とする請求項８に記載の骨董品運用システム。
【請求項１０】
前記解約実行手段は、前記ユーザの選択した解約方法が、前記骨董品の売却である場合には、前記鑑定者に前記骨董品の運用開始時点の評価額で前記骨董品を買い取る旨の情報を提供する、請求項９に記載の骨董品運用システム。
【請求項１１】
前記解約実行手段は、前記骨董品の運用期間が満了した時点における前記金融マーケットの運用結果に運用益がでている場合には、前記骨董品の運用開始時点の評価額に前記運用益を加算した金額を、前記ユーザの口座に送金させる、請求項１０に記載の骨董品運用システム。
【請求項１２】
前記解約実行手段は、前記骨董品の運用期間が満了した時点における前記金融マーケットの運用結果に運用損がでている場合には、前記骨董品の運用開始時点の評価額から前記運用損を減算した金額を、前記ユーザの口座に送金させる、請求項１０に記載の骨董品運用システム。
【請求項１３】
前記解約実行手段は、前記骨董品の運用期間が満了した時点における前記金融マーケットの運用結果に基づく金額を、前記金融マーケット運用システムから前記ユーザの口座に送金させる、請求項１０に記載の骨董品運用システム。
【請求項１４】
前記解約実行手段は、前記ユーザの選択した解約方法が、前記骨董品の返却である場合で、且つ、前記骨董品の運用期間が満了した時点における前記金融マーケットの運用結果に運用益がでている場合には、前記運用益を前記金融マーケット運用システムからユーザの口座に送金させる、請求項９に記載の骨董品運用システム。
【請求項１５】
前記解約実行手段は、前記ユーザの選択した解約方法が、前記骨董品の返却である場合で、且つ、前記骨董品の運用期間が満了した時点における前記金融マーケットの運用結果に運用損がでている場合には、前記運用損をユーザの口座から前記金融マーケット運用システムへ送金させる、請求項９に記載の骨董品運用システム。
【請求項１６】
前記運用方針取得手段が取得する前記骨董品の運用方針には、前記骨董品の運用開始時点の評価額のうち、どの程度の比率で運用をするのかをユーザが選択した数値が含まれており、
前記運用実行手段は、前記骨董品の評価額のうち、ユーザの指定した比率の金額に基づいて運用を実行する、請求項１に記載の骨董品運用システム。
【請求項１７】
ユーザの動産に関する情報を含む動産情報を取得する、動産情報取得手段と、
前記動産情報を鑑定者に提供し、前記鑑定者から、前記動産の評価額を含む鑑定結果を取得する、鑑定結果取得手段と、
前記鑑定結果をユーザに提供し、前記ユーザが選択した前記動産の運用方針を取得する、運用方針取得手段と、
取得した前記運用方針に基づいて、前記動産の運用を実行させる、運用実行手段と、
を備えることを特徴とする動産運用システム。
【発明の詳細な説明】
【技術分野】
【０００１】
本発明は、骨董品運用システム及び動産運用システムに関する。
【背景技術】
【０００２】
現在、一般家庭にも、壺や、刀、皿といった骨董品が数多く眠っていると言われている。これは、一般家庭では、骨董品に資産価値があることを知りつつも、その骨董品の価値を正確に知ることが難しく、また、売却して現金化することに躊躇いを覚えることがあるからであると考えられている。
【０００３】
しかし、骨董品を所有しているだけでは、１円の利益も生み出さず、保有コストが嵩むだけである。このため、一般家庭で所有されている骨董品を有効な資産活用につなげることができるシステムの構築が望まれている。このことは、骨董品以外でも、価格算定可能な動産にも、そのまま当てはまる。
【発明の概要】
【発明が解決しようとする課題】
【０００４】
本発明の目的は、一般家庭で所有されている骨董品を有効に資産活用することのできる骨董品運用システムを提供することを目的とする。また、価格算定可能な動産を有効に資産活用することのできる動産運用システムを提供することを目的とする。
【課題を解決するための手段】
【０００５】
本発明に係る骨董品運用システムは、
ユーザの骨董品に関する情報を含む骨董品情報を取得する、骨董品情報取得手段と、
前記骨董品情報を鑑定者に提供し、前記鑑定者から、前記骨董品の評価額を含む鑑定結果を取得する、鑑定結果取得手段と、
前記鑑定結果をユーザに提供し、前記ユーザが選択した前記骨董品の運用方針を取得する、運用方針取得手段と、
取得した前記運用方針に基づいて、前記骨董品の運用を実行させる、運用実行手段と、
を備えることを特徴とする。
【０００６】
また、本発明に係る動産運用システムは、
ユーザの動産に関する情報を含む動産情報を取得する、動産情報取得手段と、
前記動産情報を鑑定者に提供し、前記鑑定者から、前記動産の評価額を含む鑑定結果を取得する、鑑定結果取得手段と、
前記鑑定結果をユーザに提供し、前記ユーザが選択した前記動産の運用方針を取得する、運用方針取得手段と、
取得した前記運用方針に基づいて、前記動産の運用を実行させる、運用実行手段と、
を備えることを特徴とする。
【図面の簡単な説明】
【０００７】
【図１】本発明の第１実施形態に係る金融管理システムのシステム構成を説明するブロック図。
【図２】本発明の第１実施形態に係る金融管理システムで実行される骨董品運用処理の内容を説明するフローチャートを示す図（その１）。
【図３】本発明の第１実施形態に係る金融管理システムで実行される骨董品運用処理の内容を説明するフローチャートを示す図（その２）。
【図４】本発明の第１実施形態に係る金融管理システムで実行される骨董品運用処理の内容を説明するフローチャートを示す図（その３）。
【図５】骨董品運用処理においてユーザ端末に表示される画面の一例を示す図。
【図６】骨董品運用処理において鑑定者端末に表示される画面の一例を示す図。
【図７】骨董品運用処理においてユーザ端末に表示される画面の一例を示す図。
【図８】骨董品運用処理においてユーザ端末に表示される画面の一例を示す図。
【図９】骨董品運用処理においてユーザ端末に表示される画面の一例を示す図。
【図１０】骨董品運用処理において鑑定者端末に表示される画面の一例を示す図。
【図１１】骨董品運用処理においてユーザ端末に表示される画面の一例を示す図。
【図１２】骨董品運用処理においてユーザ端末に表示される画面の一例を示す図。
【図１３】骨董品運用処理において鑑定者端末に表示される画面の一例を示す図。
【図１４】本発明の第２実施形態に係る金融管理システムで実行される骨董品運用処理の内容を説明するフローチャートを示す図（第１実施形態のその１に対応するフローチャートを示す図）。
【図１５】骨董品運用処理において鑑定者端末に表示される画面の一例を示す図。
【発明を実施するための形態】
【０００８】
以下、図面を参照しながら、本実施形態に係る骨董品運用システム及び動産運用システムを説明する。なお、以下の説明において、略同一の機能及び構成を有する構成要素については、同一符号を付し、重複説明は必要な場合にのみ行うこととする。
【０００９】
〔第１実施形態〕
図１は、第１実施形態に係る骨董品運用システム１０を含む金融管理システム１の全体構成の一例を示すブロック図である。なお、以下においては、骨董品運用システム１０を例として本発明の一実施形態を説明するが、骨董品運用システム１０を動産運用システムに置き換えることにより、骨董品以外の動産にも広く応用可能である。
【００１０】
この図１に示すように、本実施形態に係る骨董品運用システム１０には、１又は複数のユーザ端末２０と、１又は複数の鑑定者端末３０と、金融マーケット運用システム４０とがネットワークを介して相互に接続されている。これら骨董品運用システム１０と、ユーザ端末２０と、鑑定者端末３０と、金融マーケット運用システム４０とにより、本実施形態に係る金融管理システム１が構成されている。
【００１１】
骨董品運用システム１０は、例えば銀行や証券会社、生命保険会社などの金融機関に設けられた大型のサーバコンピュータである。本実施形態においては、骨董品運用システム１０は、例えば、ユーザ端末２０から取得した骨董品に関する情報を鑑定者端末３０に通知したり、鑑定者端末３０から取得した骨董品の評価額に関する情報をユーザ端末２０に通知したり、金融マーケット運用システム４０に資産の運用を指示したりする。
【００１２】
ユーザ端末２０は、この骨董品運用システム１０を利用するユーザの端末であり、例えば、スマートフォンやフィーチャーフォン、タブレット端末などの可搬型端末や、デスクトップパソコンやワークステーションなどの固定型端末などにより、構成されている。ユーザ端末２０は、ひとりのユーザに１台だけ割り当てられていることもあるし、ひとりのユーザに複数台割り当てられていることもあるし、１台が複数のユーザで共有されていることもある。本実施形態においては、ユーザ端末２０を操作するユーザが、骨董品の所有者である。
【００１３】
鑑定者端末３０は、骨董品運用システム１０から提供された骨董品に関する情報に基づいて骨董品の鑑定をしたり、骨董品相場で骨董品を運用したりする鑑定者の端末である。この鑑定者端末３０は、例えば、スマートフォンやフィーチャーフォン、タブレット端末などの可搬型端末や、デスクトップパソコンやワークステーションなどの固定型端末などにより、構成されている。鑑定者端末３０は、ひとつの骨董品業者に１台だけ割り当てられていることもあるし、複数台割り当てられていることもある。また、骨董品業者に複数の鑑定者がいる場合には、複数の鑑定者で１台の鑑定者端末３０を共有されていることもある。
【００１４】
金融マーケット運用システム４０は、金融機関に設けられた大型のサーバコンピュータであり、骨董品運用システム１０からの指示により、株式や投資信託などの金融マーケットにて資産の運用を行う。本実施形態においては、この金融マーケット運用システム４０は、既存の各種の金融商品の運用を行うためのシステムであり、骨董品運用システム１０と同一の金融機関に設けられていてもよいし、異なる金融機関に設けられていてもよい。
【００１５】
なお、詳しくは後述するが、本実施形態に係る骨董品運用システム１０は、骨董品情報取得部１０ａと、鑑定結果取得部１０ｂと、運用方針取得部１０ｃと、運用実行部１０ｄと、運用結果取得部１０ｅと、解約方法取得部１０ｆと、解約実行部１０ｇとを備えて構成されている。これは、本実施形態に係る骨董品運用システム１０が後述する骨董品運用処理を実行する上で必要な処理機能をブロックで表現したものである。このため、骨董品運用システム１０は、これ以外の処理機能も備えていることは当然である。また、骨董品運用システム１０において、これらの処理機能は、ソフトウェア的に実現されてもよいし、ハードウェア的に実現されてもよいし、或いは、ソフトウェアとハードウェアとが混在して実現されてもよい。
【００１６】
次に、図２乃至図１３に基づいて、本実施形態に係る骨董品運用処理について詳しく説明する。図２乃至図４は、本実施形態に係る骨董品運用処理を説明するフローチャートを示す図であり、図５乃至図１３は、この骨董品運用処理でユーザ端末２０や鑑定者端末３０に表示される画面の一例を示す図である。
【００１７】
まず、図２に示すように、骨董品の所有者であるユーザは、ユーザ端末２０を用いて、骨董品の撮像を行う（ステップＳ１０）。図５（ａ）は、このステップＳ１０でユーザ端末２０の画面に表示される撮像用の画面の一例を示す図である。この図５（ａ）に示すように、ユーザ端末２０の画面には、ユーザに骨董品の撮像を促すためのメッセージと、撮像確認用の画像が表示される。ユーザは、この画面を操作して、自らが所有する骨董品の撮像を行う。
【００１８】
次に、図２に示すように、ユーザは、ユーザ端末２０を操作して、ステップＳ１０で撮像を行った骨董品の付随情報を入力する（ステップＳ１２）。図５（ｂ）には、このステップＳ１２でユーザ端末２０の画面に表示される付随情報入力用の画面の一例が示されている。この図５（ｂ）に示すように、本実施形態においては、付随情報入力用の画面に、「種類」を入力するフィールドと、「作者」を入力するフィールドと、「時期」を入力するフィールドとが設けられている。これらのフィールドに、ユーザは、自分が分かる範囲において、その情報を入力する。無論、これらの情報以外に、骨董品に付随する情報を入力できるようにしておいてもよい。さらには、この骨董品の付随情報を入力するステップは、省略することも可能である。その場合、骨董品の鑑定を行う鑑定業者は、撮像した骨董品の画像に基づいて、評価額を決定することとなる。
【００１９】
これらの付随情報の入力が完了したユーザは、付随情報入力用の画面に表示された送信ボタンＢ１をタッチする。これにより、図２に示すように、ユーザ端末２０から骨董品運用システム１０に骨董品情報が送信される（ステップＳ１４）。すなわち、ユーザ端末２０は、ステップＳ１０で撮像された骨董品の画像と、ステップＳ１２で入力された骨董品の付随情報とを少なくとも含む情報を、骨董品情報として、骨董品運用システム１０に送信する。なお、骨董品情報には、これら骨董品の画像と骨董品の付随情報以外の情報が含まれていてもよい。
【００２０】
次に、図２に示すように、骨董品運用システム１０は、骨董品情報をユーザ端末２０から受信して、ユーザの撮像した骨董品に関する情報を少なくとも含む骨董品情報を取得する（ステップＳ１６）。このステップＳ１６を実行することにより、上述した骨董品運用システム１０の骨董品情報取得部１０ａが実現される。
【００２１】
次に、骨董品運用システム１０は、取得した骨董品情報を鑑定者端末３０に送信して、鑑定者に骨董品情報を提供する（ステップＳ１８）。すなわち、ステップＳ１６とステップＳ１８により、骨董品運用システム１０は、ユーザ端末２０から取得した骨董品情報を、鑑定者端末３０に転送する。なお、骨董品情報は、骨董品運用システム１０から鑑定者端末３０に送信するのではなく、鑑定者端末３０が、骨董品運用システム１０で保持している骨董品情報を、任意のタイミングで取得するようにしてもよい。
【００２２】
次に、図２に示すように、鑑定者端末３０は、骨董品情報を骨董品運用システム１０から受信して、ユーザの撮像した骨董品に関する情報を少なくとも含む骨董品情報を取得する（ステップＳ２０）。
【００２３】
次に、図２に示すように、鑑定者端末３０は、鑑定者に骨董品の鑑定結果を入力させる（ステップＳ２２）。図６には、このステップＳ２２で鑑定者端末３０の画面に表示される鑑定結果入力用の画面の一例が示されている。この図６に示すように、本実施形態においては、鑑定結果入力用の画面には、「種類」を入力する又は表示するフィールドと、「作者」を入力する又は表示するフィールドと、「時期」を入力する又は表示するフィールドとが設けられている。上述したステップＳ１２において、これらのフィールドに、ユーザが付随情報として情報を入力していた場合には、ユーザの入力した情報が表示される。このため、鑑定者は必要に応じて、骨董品の画像に基づいて鑑定を行い、表示された情報の修正を行う。一方、ステップＳ１２において、これらのフィールドに、ユーザが情報を入力していない場合には、鑑定者は、骨董品の画像に基づいて鑑定を行い、これらのフィールドに適正な情報を入力する。
【００２４】
さらに、鑑定者は、この骨董品の鑑定結果に基づいて、評価額を評価額入力フィールドＦ１に入力する。すなわち、骨董品の画像と、その骨董品の付随情報とに基づいて、骨董品の価値を評価して、その評価額を、評価額入力フィールドＦ１に入力する。図６の例では、鑑定者端末３０の画面に表示された壺の骨董品に、鑑定者が３００万円の評価額を入力した状態を示している。
【００２５】
この状態で、鑑定者は、鑑定者端末３０の画面に表示された送信ボタンＢ２をタッチする。これにより、図２に示すように、鑑定者端末３０から骨董品運用システム１０に鑑定結果が送信して提供される（ステップＳ２４）。すなわち、鑑定者端末３０は、ステップＳ２２で入力や修正がなされた骨董品の付随情報と評価額とを少なくとも含む情報を、鑑定結果として、骨董品運用システム１０に送信する。なお、鑑定結果に関する情報には、これら骨董品の付随情報と評価額以外の情報が含まれていてもよい。
【００２６】
次に、図２に示すように、骨董品運用システム１０は、鑑定結果に関する情報を鑑定者端末３０から受信して、ユーザの撮像した骨董品に関する鑑定結果を取得する（ステップＳ２６）。このステップＳ２６と上述したステップＳ１８とを実行することにより、上述した骨董品運用システム１０の鑑定結果取得部１０ｂが実現される。
【００２７】
次に、骨董品運用システム１０は、取得した鑑定結果に関する情報をユーザ端末２０に送信して、ユーザに鑑定結果に関する情報を提供する（ステップＳ２８）。すなわち、ステップＳ２６とステップＳ２８により、骨董品運用システム１０は、鑑定者端末３０から取得した鑑定結果を、ユーザ端末２０に転送する。なお、鑑定結果に関する情報は、骨董品運用システム１０からユーザ端末２０に送信するのではなく、ユーザ端末２０が、骨董品運用システム１０で保持している鑑定結果に関する情報を、任意のタイミングで取得するようにしてもよい。
【００２８】
次に、図２に示すように、ユーザ端末２０は、鑑定結果に関する情報を骨董品運用システム１０から受信して、鑑定者による鑑定結果を取得する（ステップＳ３０）。なお、鑑定結果に関する情報は、骨董品運用システム１０からユーザ端末２０に送信するのではなく、ユーザ端末２０が、骨董品運用システム１０で保持している鑑定結果に関する情報を、任意のタイミングで取得するようにしてもよい。
【００２９】
次に、図２に示すように、ユーザ端末２０は、鑑定結果に関する情報を画面に表示する（ステップＳ３２）。図７（ａ）には、このステップＳ３２でユーザ端末２０の画面に表示される鑑定結果表示用の画面の一例が示されている。この図７（ａ）に示すように、本実施形態においては、ユーザ端末２０の画面に、鑑定結果に関する情報として、鑑定者が入力した評価額と、骨董品の付随情報が表示される。骨董品の付随情報は、ユーザが入力した付随情報に修正がなければそのまま表示され、鑑定者による修正があった場合は修正後の付随情報が表示される。また、ユーザが骨董品の付随情報を入力していない場合には、鑑定者が入力した付随情報が表示される。
【００３０】
ユーザは、このユーザ端末２０の画面に表示された鑑定結果に基づいて、骨董品の運用をするかどうかを決定する。図７（ａ）の例では、鑑定者が評価額を３００万円と入力したので、ユーザは、この３００万円の運用をするかどうかを決定する。ユーザが、この評価額に基づいて、骨董品の運用を行うと決定した場合は、運用すると表示されたボタンＢ３をタッチする。一方、骨董品の運用を行わないと決定した場合は、キャンセルと表示されたボタンＢ４をタッチする。キャンセルと表示されたボタンＢ４をタッチした場合は、この骨董品運用処理は終了する。
【００３１】
一方、ボタンＢ３をタッチした場合は、ユーザ端末２０は、運用手法を決定させるための画面を表示して、ユーザに運用手法を入力させる（ステップＳ３４）。図７（ｂ）には、このステップＳ３２でユーザ端末２０の画面に表示される運用手法入力用の画面の一例が示されている。この図７（ｂ）に示すように、本実施形態においては、ユーザ端末２０の画面に、骨董品相場で運用という第１の選択肢と、金融マーケットで運用という第２の選択肢とが表示される。なお、運用手法の選択肢は、これら第１の選択肢と第２の選択肢に限られるものではなく、種々の選択肢を用意して、ユーザに選択させることが可能である。
【００３２】
ユーザが、骨董品相場で運用という第１の選択肢を選択する場合は、ラジオボタンＲ１をタッチして選択する。この状態が、図７（ｃ）に示されている。ユーザが、金融マーケットで運用という第２の選択肢を選択する場合は、ラジオボタンＲ２をタッチして選択する。この状態が、図７（ｄ）に示されている。そして、この運用手法に関する選択の入力が完了したユーザは、次へと表示されたボタンＢ５をタッチする。
【００３３】
ユーザがラジオボタンＲ１により示される骨董品相場での運用を選択した場合、図３に示すように、ユーザ端末２０は運用期間をユーザに設定させるために、運用期間設定用の画面を表示する（ステップＳ４０）。図８（ａ）には、このステップＳ４０でユーザ端末２０の画面に表示される運用期間設定用の画面の一例が示されている。この図８（ａ）に示すように、本実施形態においては、３ヶ月の運用期間である第１の選択肢と、６ヶ月の運用期間である第２の選択肢と、９ヶ月の運用期間である第３の選択肢と、１２ヶ月の運用期間である第４の選択肢とが表示されている。ユーザは、３ヶ月の運用期間である第１の選択肢を選択する場合はラジオボタンＲ３をタッチし、６ヶ月の運用期間である第２の選択肢を選択する場合はラジオボタンＲ４をタッチし、９ヶ月の運用期間である第３の選択肢を選択する場合はラジオボタンＲ５をタッチし、１２ヶ月の運用期間である第４の選択肢を選択する場合はラジオボタンＲ６をタッチする。図８（ａ）では、ユーザが、３ヶ月の運用期間であるラジオボタンＲ３を選択した状態を示している。そして、ユーザは、運用すると表示されたボタンＢ６をタッチする。
【００３４】
次に、図３に示すように、ユーザ端末２０は、運用手法や運用期間等の運用方針に関する情報を少なくとも含む運用情報を骨董品運用システム１０に送信して提供する（ステップＳ４２）。すなわち、ここでは、ユーザが骨董品相場による運用という運用手法を選択したという情報と、ステップＳ４０でユーザが選択した骨董品の運用期間に関する情報とを少なくとも含む運用方針に関する運用情報を、ユーザ端末２０から骨董品運用システム１０に送信する。
【００３５】
次に、図３に示すように、骨董品運用システム１０は、この運用情報をユーザ端末２０から受信して、ユーザの指定した運用方針に関する情報を少なくとも含む運用情報を取得する（ステップＳ４４）。このステップＳ４４と上述したステップＳ４２とを実行することにより、上述した骨董品運用システム１０の運用方針取得部１０ｃが実現される。
【００３６】
次に、骨董品運用システム１０は、取得した運用方針に関する情報を少なくとも含む運用情報を鑑定者端末３０に送信し提供する（ステップＳ４６）。すなわち、ステップＳ４４とステップＳ４６により、骨董品運用システム１０は、ユーザ端末２０から取得した運用情報を、鑑定者端末３０に転送する。なお、運用情報は、骨董品運用システム１０から鑑定者端末３０に送信するのではなく、鑑定者端末３０が、骨董品運用システム１０で保持している運用方針に関する情報を少なくとも含む運用情報を、任意のタイミングで取得するようにしてもよい。このステップＳ４６を実行することにより、上述した骨董品運用システム１０の運用実行部１０ｄが実現される。
【００３７】
次に、図３に示すように、鑑定者端末３０は、運用方針に関する情報を少なくとも含む運用情報を骨董品運用システム１０から受信して取得する（ステップＳ４８）。続いて、鑑定者端末３０は、取得した運用情報を画面に表示する（ステップＳ５０）。図８（ｂ）には、このステップＳ５０で鑑定者端末３０の画面に表示される運用情報表示用の画面の一例が示されている。この図８（ｂ）の例では、ユーザが選択した骨董品の運用方針に関する情報として、骨董品相場による運用であることと、３００万円という評価額と、３ヶ月という運用期間とが表示されている。また、これに加えて、骨董品の画像や種類、作者、時期が参考情報として表示されている。なお、運用情報として鑑定者端末３０の画面に表示される情報は、これらに限られるものではない。鑑定者端末３０の画面にユーザの運用方針に関する情報を少なくとも含む運用情報を表示することにより、鑑定者は、その骨董品の運用を引き受けたこととなる。つまり、骨董品運用システム１０の指示により、鑑定者は骨董品相場における骨董品の運用を実行する。
【００３８】
一方で、ステップＳ４６で運用情報を鑑定者端末３０に送信した骨董品運用システム１０は、ユーザの指定した運用期間の満了まで待機する（ステップＳ５２：Ｎｏ）。そして、ユーザの指定した運用期間が満了した場合（ステップＳ５２：Ｙｅｓ）には、骨董品相場における、その骨董品の評価額を取得する（ステップＳ５４）。この評価額は、骨董品買取会社のホームページに掲載されている同種の骨董品の価格から算出したものでもよいし、或いは、骨董品のオークションサイトに掲示されている落札金額から算出したものでもよい。また、複数のオークションサイトや骨董品会社の情報を収集して算出してもよい。この場合、収集した複数の評価額の平均値や中央値を、その骨董品の評価額とすることができる。また、ステップＳ５４における評価額の取得は、骨董品運用システム１０から骨董品のオークションサイトを管理するシステムから自動的に取得するようにしてもよいし、この骨董品運用システム１０を管理する管理者がマニュアルで骨董品運用システム１０に入力することにより、骨董品運用システム１０が取得するようにしてもよい。このステップＳ５４を実行することにより、上述した骨董品運用システム１０の運用結果取得部１０ｅが実現される。
【００３９】
次に、図３に示すように、骨董品運用システム１０は、ステップＳ５４で取得した評価額を少なくとも含む運用結果情報をユーザ端末２０に送信して、ユーザに運用結果情報を提供する（ステップＳ５６）。そして、ユーザ端末２０は、骨董品運用システム１０から送信された運用結果情報を受信して取得する（ステップＳ５８）。なお、運用結果情報は、骨董品運用システム１０からユーザ端末２０に送信するのではなく、ユーザ端末２０が、骨董品運用システム１０で保持している運用結果情報を、任意のタイミングで取得するようにしてもよい。
【００４０】
次に、図３に示すように、ユーザ端末２０は、ステップＳ５８で取得した骨董品の評価額を少なくとも含む運用結果情報を表示して、ユーザに通知する（ステップＳ６０）。図９（ａ）は、このステップＳ６０でユーザ端末２０に表示される運用結果情報表示用の画面の一例を示している。この図９（ａ）に示すように、本実施形態に係るユーザ端末２０の画面には、運用結果に関する情報として、運用期間が満了した時点における骨董品の評価額が表示される。
【００４１】
図９（ａ）の例においては、運用期間が満了した時点における骨董品の評価額が、３６０万円である例を示している。この骨董品の運用開始時点の評価額は３００万円であったので、３ヶ月の運用期間を経て、評価額が６０万円上昇したことになる。つまり、評価額の上昇率は＋２０％である。このため、本実施形態に係る運用結果表示用の画面には、視覚的に評価額が上昇したことを理解できるように、運用開始時点の骨董品の画像よりも大きな画像が表示されている。すなわち、領域Ａ１には、運用開始時点における骨董品の評価額を表す大きさで骨董品の画像が表示されており、領域Ａ２には、運用終了時点における骨董品の評価額を表す大きさで骨董品の画像が表示されている。この図９（ａ）の例では、領域Ａ１の画像の大きさより、領域Ａ２の画像の大きさが、２０％大きくなるように、骨董品が表示されている。これとは逆に、骨董品の運用開始時点の評価額よりも、運用終了時点の評価額の方が低ければ、領域Ａ１に表示された骨董品の画像の大きさより、領域Ａ２に表示された骨董品の画像の大きさの方が、小さくなる。運用終了時点の骨董品の評価額を確認したユーザは、運用停止と表示されたボタンＢ７をタッチする。なお、このように運用成績に応じて、骨董品の画像の大きさを変更して表示することなく、骨董品の運用終了時点の評価額や上昇率を文字情報として表示するだけにしてもよい。すなわち、骨董品の運用成績の表示態様は、ユーザの視認性や表示画面サイズの制約等に応じて、任意に設計可能である。
【００４２】
次に、図３に示すように、ユーザ端末２０は、ユーザに解約方法を選択させる解約方法選択用の画面を表示する（ステップＳ６２）。図９（ｂ）及び（ｃ）には、ステップＳ６２でユーザ端末２０に表示される解約方法選択用の画面の一例を示している。図９（ｂ）は、運用成績がプラスの場合に表示される解約方法選択用の画面を例示しており、図９（ｃ）は、運用成績がマイナスの場合に表示される解約方法選択用の画面を例示している。
【００４３】
図９（ｂ）に示すように、運用成績がプラスの場合、解約方法選択用の画面には、骨董品を売却し、すべて現金で受け取るという第１の選択肢と、現物である骨董品を返却してもらい、運用益を現金で受け取るという第２の選択肢とが、表示される。ユーザは、骨董品を売却し、すべて現金で受け取るという第１の選択肢を選択する場合には、ラジオボタンＲ７をタッチする。一方、ユーザは、現物である骨董品を返却してもらい、運用益を現金で受け取るという第２の選択肢を選択する場合には、ラジオボタンＲ８をタッチする。
【００４４】
図９（ｂ）の例では、ユーザが、すべて現金で受け取るという第１の選択肢を選択した場合、３６０万円を現金で受け取ることとなる。一方、ユーザが、現物である骨董品を返却してもらい、運用益を現金で受け取るという第２の選択肢を選択した場合、現物である骨董品の返却を受け、６０万円の現金を受け取ることとなる。
【００４５】
これに対して、図９（ｃ）に示すように、運用成績がマイナスの場合、解約方法選択用の画面には、骨董品を売却するという第１の選択肢と、運用損を支払って骨董品を買い戻すという第２の選択肢とが、表示される。ユーザは、骨董品を売却するという第１の選択肢を選択する場合には、ラジオボタンＲ９をタッチする。一方、ユーザは、運用損を支払って骨董品を買い戻すという第２の選択肢を選択する場合には、ラジオボタンＲ１０をタッチする。
【００４６】
図９（ｃ）の例では、骨董品の運用期間終了時点の評価額が２６０万円である例を示しており、４０万円の運用損が発生している。この場合、ユーザが、骨董品を売却するという第１の選択肢を選択した場合には、２６０万円を受け取ることとなる。一方、ユーザが、運用損を支払って骨董品を買い戻すという第２の選択肢を選択する場合には、運用損の４０万円を支払って、骨董品を返却してもらうこととなる。
【００４７】
図９（ｂ）及び（ｃ）に表示された解約方法選択用の画面で、ユーザが、解約方法を選択した後、解約すると表示されたボタンＢ８をタッチする。このボタンＢ８がタッチされると、ユーザが選択した解約方法に関する情報を少なくとも含む解約情報が、ユーザ端末２０から骨董品運用システム１０に送信される（ステップＳ６４）。
【００４８】
次に、図３に示すように、骨董品運用システム１０は、解約情報をユーザ端末２０から受信して、ユーザの選択した解約方法に関する情報を取得する（ステップＳ６６）。このステップＳ６６と上述したステップＳ５６とを実行することにより、上述した骨董品運用システム１０の解約方法取得部１０ｆが実現される。
【００４９】
次に、骨董品運用システム１０は、取得した解約方法に関する情報を鑑定者端末３０に送信して、鑑定者に骨董品の運用の解約を実行させる（ステップＳ６８）。すなわち、ステップＳ６６とステップＳ６８により、骨董品運用システム１０は、ユーザ端末２０から取得した解約情報を、鑑定者端末３０に転送する。なお、解約情報は、骨董品運用システム１０から鑑定者端末３０に送信するのではなく、鑑定者端末３０が、骨董品運用システム１０で保持している解約情報を、任意のタイミングで取得するようにしてもよい。このステップＳ６８を実行することにより、上述した骨董品運用システム１０の解約実行部１０ｇが実現される。
【００５０】
次に、図３に示すように、鑑定者端末３０は、解約情報を骨董品運用システム１０から受信して取得する（ステップＳ７０）。続いて、鑑定者端末３０は、取得した解約情報を画面に表示する（ステップＳ７２）。図１０（ａ）及び（ｂ）には、このステップＳ７２で鑑定者端末３０の画面に表示される解約情報表示用の画面の一例が示されている。この図１０（ａ）には、運用成績がプラスだった場合で、且つ、ユーザが現物である骨董品の返却と運用益の受け取りを選択した場合における、解約情報表示用の画面の一例が示されており、図１０（ｂ）には、運用成績がマイナスだった場合で、且つ、ユーザが運用損を支払って骨董品を買い戻す選択をした場合における、解約方法選択用の画面の一例が示されている。
【００５１】
鑑定者は、鑑定者端末３０に表示された解約情報表示用の画面により、骨董品の運用期間の満了したユーザが、どのような解約方法を選択したのかを、知ることができる。この解約方法の通知を受けた鑑定者は、その解約方法を確認し、確認と表示されたボタンＢ９をタッチする。なお、解約情報として鑑定者端末３０の画面に表示される情報は、これらに限られるものではない。鑑定者端末３０の画面に解約情報を表示することにより、鑑定者は、その骨董品の運用の解約に応じたこととなる。
【００５２】
以上の処理により、ステップＳ３４において、ユーザが骨董品相場で骨董品を運用する選択した場合の骨董品運用処理が終了する。実際の骨董品の運用においては、骨董品が金融機関からユーザに返却されたり、運用益に相当する金額が金融機関を介して骨董品業者からユーザに支払われたり、運用損を補填する金額が金融機関を介してユーザから骨董品業者に支払われたりする。
【００５３】
具体例に基づいて説明すると、運用結果がプラスの場合で、且つ、ユーザが、図９（ｂ）に示す解約方法選択用の画面において、骨董品を売却して、すべて現金で受け取るという第１の選択肢を選択した場合、鑑定者である骨董品業者は３６０万円で骨董品を買い取ることとなる。そして、骨董品の所有権はユーザから鑑定者である骨董品業者に移転する。また、骨董品運用システム１０は、骨董品の売却により得られた金額を、勘定系のシステムに、鑑定者の口座からユーザの口座へ送金するよう指示する。
【００５４】
一方、運用結果がプラスの場合で、且つ、ユーザが、図９（ｂ）に示す解約方法選択用の画面において、現物である骨董品を返却してもらい、評価額の差額を運用益として現金で受け取るという第２の選択肢を選択した場合、骨董品業者は６０万円の運用益に相当する金額を、ユーザに支払うこととなる。骨董品の所有権はユーザのままである。すなわち、骨董品運用システム１０は、運用益に相当する金額を、鑑定者の口座からユーザの口座に送金するように、勘定系のシステムに指示する。
【００５５】
一方で、運用結果がマイナスの場合で、且つ、ユーザが、図９（ｃ）に示す解約方法選択用の画面において、骨董品を売却するという第１の選択肢を選択した場合、骨董品業者は２６０万円で骨董品を買い取ることとなる。そして、骨董品の所有権はユーザから骨董品業者に移転する。また、骨董品運用システム１０は、骨董品の売却により得られた金額を、勘定系のシステムに、鑑定者の口座からユーザの口座へ送金するよう指示する。
【００５６】
一方、運用結果がマイナスの場合で、且つ、ユーザが、図９（ｃ）に示す解約方法選択用の画面において、評価額の差額を運用損として支払って骨董品を買い戻すという第２の選択肢を選択した場合、鑑定者である骨董品業者は４０万円の運用損に相当する金額を、ユーザから受け取ることとなる。骨董品の所有権はユーザのままである。すなわち、骨董品運用システム１０は、運用損に相当する金額を、ユーザの口座から鑑定者の口座に送金するように、勘定系のシステムに指示する。
【００５７】
また、本実施形態においては、骨董品は金融機関が保管することを前提としているが、これは鑑定者である骨董品業者が保管するようにしてもよい。上述したステップＳ６２で、ユーザが骨董品の返却を選択した場合には、運用益或いは運用損の精算ととともに、骨董品が、金融機関或いは骨董品業者からユーザに返却される。逆に、ステップＳ６２で、ユーザが骨董品の売却を選択した場合には、金融機関で保管されている骨董品が金融機関から鑑定業者に送付される。
【００５８】
これに対して、上述した図２のステップＳ３４及び図７（ｄ）において、ユーザが、ラジオボタンＲ２をタッチして、運用市場として金融マーケット運用を選択した場合、図４に示すように、ユーザ端末２０は運用期間をユーザに設定させるために、運用期間設定用の画面を表示する（ステップＳ１４０）。図１１には、このステップＳ１４０でユーザ端末２０の画面に表示される運用期間設定用の画面の一例が示されている。このステップＳ１４０におけるユーザの操作やユーザ端末２０の処理は、上述したステップＳ４０と同様である。
【００５９】
ユーザが運用期間を選択した後に、運用すると表示されたボタンＢ１０をタッチすると、図４に示すように、ユーザ端末２０は、運用情報を骨董品運用システム１０に送信する（ステップＳ１４２）。すなわち、ユーザが金融マーケットによる運用を選択したという情報と、ステップＳ１４０でユーザが選択した金融マーケットでの運用期間に関する情報とを少なくとも含む運用情報を、ユーザ端末２０から骨董品運用システム１０に送信する。
【００６０】
次に、図４に示すように、骨董品運用システム１０は、運用情報をユーザ端末２０から受信して、ユーザの指定した運用方針に関する情報を少なくとも含む運用情報を取得する（ステップＳ１４４）。このステップＳ１４４と上述したステップＳ１４２とを実行することにより、上述した骨董品運用システム１０の運用方針取得部１０ｃが実現される。
【００６１】
次に、骨董品運用システム１０は、取得した運用情報を金融マーケット運用システム４０に送信し、ユーザの指定した運用方針に関する情報を少なくとも含む運用情報を金融マーケット運用システム４０に提供する（ステップＳ１４６）。すなわち、ステップＳ１４４とステップＳ１４６により、骨董品運用システム１０は、ユーザ端末２０から取得した運用情報を、金融マーケット運用システム４０に転送する。なお、運用情報は、骨董品運用システム１０から金融マーケット運用システム４０に送信するのではなく、金融マーケット運用システム４０が、骨董品運用システム１０で保持している運用情報を、任意のタイミングで取得するようにしてもよい。このステップＳ１４６を実行することにより、上述した骨董品運用システム１０の運用実行部１０ｄが実現される。
【００６２】
次に、図４に示すように、金融マーケット運用システム４０は、運用情報を骨董品運用システム１０から受信して取得する（ステップＳ１４８）。続いて、金融マーケット運用システム４０は、取得した運用情報に基づいて、金融マーケットにおける運用を開始する（ステップＳ１５０）。すなわち、取得した運用情報には、運用方針に関する情報として、骨董品の評価額である運用金額と、ユーザが指定した運用期間に関する情報が少なくとも含まれている。この運用金額と運用期間に基づいて、金融マーケット運用システム４０は資産の運用を実行する。
【００６３】
資産の運用先は、任意である。例えば、この金融マーケット運用システム４０が投資信託の運用システムであれば、ユーザの資産を投資信託で運用することとなる。投資信託で運用する場合は、この金融マーケット運用システム４０に設定されているベーシックなポートフォリオで資産の運用をすることもできるし、ユーザが指定したポートフォリオで資産の運用をすることもできる。例えば、ベーシックはポートフォリオとして、国内株式が５０％、外国株式が５０％という設定になっている場合、ユーザが任意に指定して、例えば、国内株式を３０％、外国株式を７０％というポートフォリオで資産の運用をすることもできる。
【００６４】
一方で、ステップＳ１４６で運用情報を金融マーケット運用システム４０に送信した骨董品運用システム１０は、ユーザの指定した運用期間の満了まで待機する（ステップＳ１５２：Ｎｏ）。そして、ユーザの指定した運用期間が満了した場合（ステップＳ１５２：Ｙｅｓ）には、金融マーケットにおける運用結果を取得する（ステップＳ１５４）。本実施形態においては、ユーザの指定した運用期間が満了すると、金融マーケット運用システム４０は、投資信託等の運用を終了し、金融マーケット運用システム４０に預けた資産を現金化する設定になっている。
【００６５】
金融マーケットによる資産の運用結果は、骨董品運用システム１０が金融マーケット運用システム４０に問い合わせをし、金融マーケット運用システム４０からシステム的に取得することができる。或いは、骨董品運用システム１０の管理者が、ユーザの資産の運用結果を金融マーケット運用システム４０で確認して、マニュアルで骨董品運用システム１０に入力することにより、骨董品運用システム１０が取得することもできる。このステップＳ１５４を実行することにより、上述した骨董品運用システム１０の運用結果取得部１０ｅが実現される。
【００６６】
次に、図４に示すように、骨董品運用システム１０は、ステップＳ１５４で取得した運用結果を少なくとも含む運用結果情報をユーザ端末２０に送信し、ユーザに運用結果情報を提供する（ステップＳ１５６）。そして、ユーザ端末２０は、骨董品運用システム１０から送信された運用結果情報を受信して取得する（ステップＳ１５８）。なお、運用結果情報は、骨董品運用システム１０からユーザ端末２０に送信するのではなく、ユーザ端末２０が、骨董品運用システム１０で保持している運用結果情報を、任意のタイミングで取得するようにしてもよい。
【００６７】
次に、図４に示すように、ユーザ端末２０は、ステップＳ１５８で取得した運用結果情報を表示して、ユーザに通知する（ステップＳ１６０）。図１２（ａ）は、このステップＳ１６０でユーザ端末２０に表示される運用結果情報表示用の画面の一例を示している。この図１２（ａ）に示すように、本実施形態に係るユーザ端末２０の画面には、運用結果に関する情報として、運用期間が満了した時点における金融マーケットによる評価額、つまり運用結果が表示される。
【００６８】
運用結果情報の表示態様は、上述した図９（ａ）の骨董品相場に関する運用結果情報の表示態様と同様である。すなわち、図１２（ａ）の例においては、運用期間が満了した時点における金融マーケットの評価額が、３６０万円である例を示している。金融マーケットで運用を開始した時点における骨董品の評価額は３００万円であったので、ユーザの資産が６０万円増加したことになる。また、運用成績がプラスであるのかマイナスであるのかに応じて、骨董品の画像大きさが変動するのも、上述した図９（ａ）と同様である。さらに、運用成績の表示態様が任意に設計可能であることも、上述した図９（ａ）と同様である。運用終了時点の金融マーケットの評価額を確認したユーザは、運用停止と表示されたボタンＢ７をタッチする。
【００６９】
次に、図４に示すように、ユーザ端末２０は、ユーザに解約方法を選択させる解約方法選択用の画面を表示する（ステップＳ１６２）。図１２（ｂ）及び（ｃ）には、ステップＳ１６２でユーザ端末２０に表示される解約方法選択用の画面の一例を示している。図１２（ｂ）は、運用成績がプラスの場合に表示される解約方法選択用の画面を例示しており、図９（ｃ）は、運用成績がマイナスの場合に表示される解約方法選択用の画面を例示している。
【００７０】
図１２（ｂ）に示すように、運用成績がプラスの場合、解約方法選択用の画面には、骨董品を売却し、すべて現金で受け取るという第１の選択肢と、現物である骨董品を返却してもらい、運用益を現金で受け取るという第２の選択肢とが、表示される。ユーザは、骨董品を売却し、すべて現金で受け取るという第１の選択肢を選択する場合には、ラジオボタンＲ７をタッチする。一方、ユーザは、現物である骨董品を返却してもらい、運用益を現金で受け取るという第２の選択肢を選択する場合には、ラジオボタンＲ８をタッチする。
【００７１】
図１２（ｂ）の例では、ユーザが、すべて現金で受け取るという第１の選択肢を選択した場合、３６０万円を現金で受け取ることとなる。一方、ユーザが、現物である骨董品を返却してもらい、運用益を現金で受け取るという第２の選択肢を選択した場合、現物である骨董品の返却を受け、６０万円の現金を受け取ることとなる。
【００７２】
これに対して、図１２（ｃ）に示すように、運用成績がマイナスの場合、解約方法選択用の画面には、骨董品を売却するという第１の選択肢と、運用損を支払って骨董品を買い戻すという第２の選択肢とが、表示される。ユーザは、骨董品を売却するという第１の選択肢を選択する場合には、ラジオボタンＲ９をタッチする。一方、ユーザは、運用損を支払って骨董品を買い戻すという第２の選択肢を選択する場合には、ラジオボタンＲ１０をタッチする。
【００７３】
図１２（ｃ）の例では、金融マーケットにおける運用期間終了時点の評価額が２６０万円である例を示しており、４０万円の運用損が発生している。この場合、ユーザが、骨董品を売却するという第１の選択肢を選択した場合には、２６０万円を受け取ることとなる。一方、ユーザが、運用損を支払って骨董品を買い戻すという第２の選択肢を選択する場合には、運用損の４０万円を支払って、骨董品を返却してもらうこととなる。
【００７４】
図１２（ｂ）及び（ｃ）に表示された解約方法選択用の画面で、ユーザが、解約方法を選択した後、解約すると表示されたボタンＢ８をタッチする。このボタンＢ８がタッチされると、ユーザが選択した解約方法に関する情報を少なくとも含む解約情報が、ユーザ端末２０から骨董品運用システム１０に送信される（ステップＳ１６４）。
【００７５】
次に、図４に示すように、骨董品運用システム１０は、解約情報をユーザ端末２０から受信して、ユーザの選択した解約方法に関する情報を取得する（ステップＳ１６６）。このステップＳ１６６と上述したステップＳ１５６とを実行することにより、上述した骨董品運用システム１０の解約方法取得部１０ｆが実現される。
【００７６】
次に、骨董品運用システム１０は、取得した解約に関する情報を鑑定者端末３０に送信して提供し、鑑定者に骨董品の運用の解約を実行させる（ステップＳ１６８）。すなわち、ステップＳ１６６とステップＳ１６８により、骨董品運用システム１０は、ユーザ端末２０から取得した解約情報を、鑑定者端末３０に転送する。なお、解約情報は、骨董品運用システム１０から鑑定者端末３０に送信するのではなく、鑑定者端末３０が、骨董品運用システム１０で保持している解約情報を、任意のタイミングで取得するようにしてもよい。このステップＳ１６８を実行することにより、上述した骨董品運用システム１０の解約実行部１０ｇが実現される。
【００７７】
次に、図４に示すように、鑑定者端末３０は、解約情報を骨董品運用システム１０から受信して取得する（ステップＳ１７０）。続いて、鑑定者端末３０は、取得した解約情報を画面に表示する（ステップＳ１７２）。図１３（ａ）及び（ｂ）には、このステップＳ１７２で鑑定者端末３０の画面に表示される解約情報表示用の画面の一例が示されている。
【００７８】
この図１３（ａ）には、運用成績がプラスだった場合で、且つ、ユーザが現物である骨董品の返却と運用益の受け取りを選択した場合における、解約情報表示用の画面の一例が示されており、図１３（ｂ）には、運用成績がマイナスだった場合で、且つ、ユーザが運用損を支払って骨董品を買い戻す選択をした場合における、解約方法選択用の画面の一例が示されている。鑑定者は、鑑定者端末３０に表示された解約情報表示用の画面により、骨董品の運用期間の満了したユーザが、どのような解約方法を選択したのかを、知ることができる。この解約方法の通知を受けた鑑定者は、その解約方法を確認し、確認と表示されたボタンＢ９をタッチする。なお、解約情報として鑑定者端末３０の画面に表示される情報は、これらに限られるものではない。鑑定者端末３０の画面に解約情報を表示することにより、鑑定者は、その骨董品の運用の解約に応じたこととなる。
【００７９】
以上の処理により、ステップＳ３４において、ユーザが金融マーケットで骨董品の評価額相当の資金を運用する選択した場合の骨董品運用処理が終了する。上述した骨董品相場で運用した場合と同様に、実際の骨董品の運用においては、骨董品が金融機関からユーザに返却されたり、運用益に相当する金額が金融機関を介して骨董品業者からユーザに支払われたり、運用損を補填する金額が金融機関を介してユーザから骨董品業者に支払われたりする。
【００８０】
具体例に基づいて説明すると、運用結果がプラスの場合で、且つ、ユーザが、図１２（ｂ）に示す解約方法選択用の画面において、骨董品を売却して、すべて現金で受け取るという第１の選択肢を選択した場合、骨董品業者は３００万円で骨董品を買い取ることとなる。そして、骨董品の所有権はユーザから骨董品業者に移転する。ユーザは、骨董品業者が支払った３００万円と金融マーケットの運用益の６０万円とを合算した３６０万円を受け取る。すなわち、骨董品運用システム１０は、勘定系のシステムに、運用開始時点の骨董品の評価額と運用益とを合算した金額を、ユーザの口座へ送金させる。
【００８１】
一方、運用結果がプラスの場合で、且つ、ユーザが、図１２（ｂ）に示す解約方法選択用の画面において、現物である骨董品を返却してもらい、運用益を現金で受け取るという第２の選択肢を選択した場合、骨董品業者にとっては金銭の授受は生じない。金融マーケットの運用益である６０万円を、ユーザが受け取るだけである。骨董品の所有権はユーザのままである。すなわち、骨董品運用システム１０は、この運用益に相当する金額を、金融マーケット運用システム４０からユーザの口座へ送金させる。
【００８２】
一方で、運用結果がマイナスの場合で、且つ、ユーザが、図１２（ｃ）に示す解約方法選択用の画面において、骨董品を売却するという第１の選択肢を選択した場合、骨董品業者は３００万円で骨董品を買い取ることとなる。この３００万円の中から、運用損である４０万円が補填され、ユーザは残りの２６０万円を受け取ることとなる。そして、骨董品の所有権はユーザから骨董品業者に移転する。すなわち、骨董品運用システム１０は、勘定系のシステムに、運用開始時点の骨董品の評価額から運用損を減算した金額を、ユーザの口座へ送金させる。
【００８３】
これらのことから分かるように、金融マーケットの運用結果に運用益があろうが運用損があろうが、ユーザが骨董品の売却を選択した場合には、鑑定者は、骨董品の運用開始時点の評価額でユーザから骨董品を買い取ることとなる。そして、骨董品運用システム１０は、骨董品の運用期間が満了した時点における金融マーケットの運用結果に基づく金額を、金融マーケット運用システム４０からユーザの口座に送金することとなる。
【００８４】
一方、運用結果がマイナスの場合で、且つ、ユーザが、図１２（ｃ）に示す解約方法選択用の画面において、運用損を支払って骨董品を買い戻すという第２の選択肢を選択した場合、骨董品業者にとっては金銭の授受は発生しない。ユーザが支払った４０万円が、金融マーケットにおける運用損の補填に当てられる。骨董品の所有権はユーザのままである。すなわち、骨董品運用システム１０は、勘定系のシステムに、この運用損に相当する金額を、ユーザの口座から金融マーケット運用システム４０へ送金させる。
【００８５】
また、上述したように、本実施形態においては、骨董品は金融機関が保管することを前提としているが、これは鑑定者である骨董品業者が保管するようにしてもよい。上述したステップＳ１６２で、ユーザが骨董品の返却を選択した場合には、運用益或いは運用損の精算ととともに、骨董品が、金融機関或いは骨董品業者からユーザに返却される。逆に、ステップＳ１６２で、ユーザが骨董品の売却を選択した場合には、金融機関で保管されている骨董品が金融機関から鑑定業者に送付される。
【００８６】
以上のように、本実施形態に係る骨董品運用システム１０を備える金融管理システム１によれば、ユーザの所有する骨董品を骨董品業者である鑑定者が鑑定を行い、この鑑定結果に示された評価額に基づいて、骨董品の運用を実現することができる。このため、ユーザの手元で眠っている骨董品を有効に活用して、資産運用をすることができる。また、鑑定者である骨董品業者にとっては、ユーザの手元に眠っている骨董品を掘り起こすことができ、新たな骨董品を見つけ出すきっかけとすることができる。
【００８７】
さらに、鑑定者である骨董品業者にも、骨董品の運用結果次第で、運用益を得ることができ、収益の機会を広げることができる。また、骨董品運用システム１０が設けられた金融機関にとっては、骨董品を用いた資産運用という新たなビジネスを実現することができるとともに、金融マーケットに資金を呼ぶ込むきっかけを作ることができる。
【００８８】
〔第２実施形態〕
第２実施形態に係る骨董品運用システム１０においては、上述した第１実施形態に係る骨董品運用システム１０を変形して、提供された評価額のうち、どの程度の比率で運用を行うのかを選択できるようにしたものである。以下、上述した第１実施形態と異なる部分を説明する。
【００８９】
図１４は、第２実施形態に係る骨董品運用システム１０が実行する骨董品運用処理を説明するフローチャートの一部を示す図であり、上述した第１実施形態の図２に対応する図である。
【００９０】
この図１４に示すように、本実施形態においては、骨董品運用システム１０は、ステップＳ３４でユーザが運用手法を選択した後に、ユーザ端末２０はユーザに運用比率を選択させる画面を表示する（ステップＳ３６）。図１５は、このステップＳ３６でユーザ端末２０の画面に表示される運用比率選択用の画面の一例を示している。
【００９１】
この図１５に示すように、本実施形態においては、ユーザが選択できる評価額の運用比率として、ラジオボタンＲ２０で選択できる２５％と、ラジオボタンＲ２１で選択できる５０％と、ラジオボタンＲ２２で選択できる７５％と、ラジオボタンＲ２３で選択できる１００％とがある。ユーザは、自分の判断で、評価額に対してどの程度の比率で運用を行うのかを選択する。例えば、３００万円の評価額に対して、ユーザの選択した比率が５０％である場合には、骨董品の運用としては１５０万円が運用され、残りの１５０万円は運用には回されない。これは、ユーザにとってはあたかも、骨董品の半分が運用されているように見える。
【００９２】
ユーザが運用比率の選択をした後に、運用すると表示されたボタンＢ２０をタッチする。すると、ユーザが骨董品相場による運用を選択していた場合には、上述した図３の処理に進行し、ステップＳ４２の運用情報として、選択された運用手法と、選択された運用比率と、選択された運用期間とを少なくとも含む運用方針に関する情報が、ユーザ端末２０から骨董品運用システム１０に送信される（ステップＳ４２）。骨董品運用システム１０は、これら選択された運用手法と、選択された運用比率と、選択された運用期間とを少なくとも含む運用情報を、ユーザの運用方針として取得する（ステップＳ４４）。
【００９３】
一方、ユーザが金融マーケットによる引用を選択していた場合には、上述した図４の処理に進行し、ステップＳ１４２の運用情報として、選択された運用手法と、選択された運用比率と、選択された運用期間とを少なくとも含む運用方針に関する情報が、ユーザ端末２０から骨董品運用システム１０に送信される（ステップＳ１４２）。骨董品運用システム１０は、これら選択された運用手法と、選択された運用比率と、選択された運用期間とを少なくとも含む運用情報を、ユーザの運用方針として取得する（ステップＳ１４４）。
【００９４】
本実施形態においても、このステップＳ４４又はステップＳ１４４を実行することにより、上述した骨董品運用システム１０の運用実行部１０ｄが実現される。但し、本実施形態においては、運用情報にユーザの選択した運用比率が含まれているので、この運用比率に評価額を乗算した金額を運用資金として、運用が実行される。
【００９５】
これ以降の処理は、ユーザの選択した運用比率で運用が行われ、その運用結果も、ユーザが選択した運用比率に基づいて定まる点を除いて、上述した第１実施形態と同様である。なお、ユーザが運用比率を選択するタイミングは、ステップＳ４０やステップＳ１４０における運用期間の設定の前である必要はなく、逆に、ステップＳ４０やステップＳ１４０における運用期間の設定の後であってもよい。
【００９６】
以上のように、本実施形態に係る骨董品運用システム１０を含む金融管理システム１によっても、ユーザの所有する骨董品を骨董品業者である鑑定者が鑑定を行い、この鑑定結果に示された評価額に基づいて、骨董品の運用を実現できる。また、鑑定結果である評価額のうち、どの程度の比率を運用に回すかをユーザは任意に設定できるので、ユーザの運用の選択肢をより広げることができる。
【００９７】
なお、本発明は上述した実施形態に限定されるものではなく、種々に変形可能である。例えば、図１に示した金融管理システム１のシステム構成は、単なる一例であり、適宜、処理の分散化を図ったり、処理の集約化を図ったりすることができる。例えば、金融マーケットで資金の運用を行うためのシステムである金融マーケット運用システム４０の機能を、骨董品運用システム１０に組み込んで、金融管理システム１を実現するようにしてもよい。
【００９８】
また、上述した各実施形態では、運用期間が満了した時点でユーザが骨董品の売却を選択した場合に、骨董品の所有権がユーザから骨董品業者に移転する（信託譲渡等も含む）こととしたが、所有権の移転はこのタイミングに限られるものではない。また、所有権の移転先は、骨董品業者に限らず、金融機関等第三者となる場合もある。例えば、骨董品の運用開始時点で、骨董品の所有権がユーザから骨董品業者に移転し、事後的に、ユーザが骨董品を買い戻すような仕組みとすることもできる。また、骨董品の運用開始時点で、骨董品に質権や譲渡担保権等の担保権等を設定し、骨董品業者の法的地位を強化させることもできる。
【符号の説明】
【００９９】
１…金融管理システム、１０…骨董品運用システム、１０ａ…骨董品情報取得部、１０ｂ…鑑定結果取得部、１０ｃ…運用方針取得部、１０ｄ…運用実行部、１０ｅ…運用結果取得部、１０ｆ…解約方法取得部、１０ｇ…解約実行部、２０…ユーザ端末、３０…鑑定者端末、４０…金融マーケット運用システム
【図１】
2020155022.tif 000003
【図２】
2020155022.tif 000004
【図３】
2020155022.tif 000005
【図４】
2020155022.tif 000006
【図５】
2020155022.tif 000007
【図６】
2020155022.tif 000008
【図７】
2020155022.tif 000009
【図８】
2020155022.tif 000010
【図９】
2020155022.tif 000011
【図１０】
2020155022.tif 000012
【図１１】
2020155022.tif 000013
【図１２】
2020155022.tif 000014
【図１３】
2020155022.tif 000015
【図１４】
2020155022.tif 000016
【図１５】
2020155022.tif 000017